Podtech/llm-jp-corpus-v4-ja_patent huggingface dataset:
(57)【要約】【課題】水量が移動することにより足の指裏に圧力を掛け指圧効果を得られるインソールを提供する。【解決手段】運転中にブレーキペダルやクラッチペダルを踏むことにより足の裏に圧力が掛かりそれにより水量が移動し、足の指裏に水量が集合され５本の指に絡み付くように水量で圧力を掛け指圧効果が得られえるインソール。【選択図】図１
2005329192.tif 000002
【特許請求の範囲】
【請求項１】
インソールにおいて、運転中に座席に座りブレーキペダル及びクラッチペダルを踏むことにより、足裏の余水量が足の指裏に移動し指裏の形状に合わせ凹凸となり指裏５本に絡み付くように水量が移動し、５本の指に圧力を掛け指圧効果が得られるようにした運転用疲労解消インソール。
【発明の詳細な説明】
【技術分野】
【０００１】  本発明は、運転中に右足でブレーキペダル及び左足でクラッチペダルを踏むことにより足の裏に圧力が掛かりそれにより水量が移動し、足の指裏に水量が集合され５本の指に絡み付くように水量で圧力を掛け指圧効果が得られるインソールに関するものである。
【背景技術】
【０００２】  従来、足の裏を水流の移動により、マッサージ効果を得るインソールがあった。
【発明の開示】
【発明が解決しようとする課題】
【０００３】  そのために、次のような問題点があった。
（イ）インソールに体全体に体重を掛け、歩くことにより体重の移動をしなければ足裏のマッサージ効果を得ることができない。
（ロ）インソールに運転中座席に座ったまま足の指裏に指圧効果を得ることが成しえることができなかった。
本発明は、これらの問題を解決するためになされたものである。
【課題を解決するための手段】
【０００４】  インソールにおいて、運転中に座席に座りブレーキペダル及びクラッチペダルを踏むことにより、足裏の余水量が足の指裏に移動し指裏の形状に合わせ凹凸となり指裏５本に絡み付くように水量が移動し、５本の指に圧力を掛け指圧効果が得られる。
又、ブレーキペダル及びクラッチペダルから足を離すと５本の指裏に絡み付いていた凹凸は平坦にもどりもとのブレーキペダル及びクラッチペダルを踏んでいた箇所に水量が移動する。
以上を特徴とする運転用疲労解消インソールである。
【発明の効果】
【０００５】  ブレーキペダル及びクラッチペダルを踏むことにより、余水量が移動し指裏５本に水量が移動し凹凸となり指裏５本に絡み付くように圧力が掛かり指圧効果を得る。
運転をしながら指圧効果により、母指のつぼは大脳、示指及び中指のつぼは目、環指及び小指のつぼは耳を刺激し運転をしながら疲労解消が得られる。
【発明を実施するための最良の形態】
【０００６】  以下、本発明の実施の形態について説明する。
（イ）余水量袋（１）の先端に足の指裏５本に余水量受け入れ袋（２）を設けた。
（ロ）余水量袋（１）に天然ゴム（３）を合体させた。
本発明は以上のような構造で、これを使用するときは、図１のように運転中右足で、ブレーキペダルを踏み、左足でクラッチペダルを踏むことにより、図２のように余水量袋（１）の水量が踏んだときの圧力で受け入れ袋（２）に水量が集中し、図５のように水量が矢印のように移動し指と指の間が広がり、足の５本の指に凹凸で絡み付き水量の圧力で指圧効果が生まれ、母指面（４）は大脳、示指面（５）及び中指面（６）は目、環指面（７）及び小指面（８）は耳の各つぼの刺激を受けることができる。
クラッチペダル及びブレーキペダルから足を離すと図６のように矢印のように水量がもとに移動する。
【実施例１】
【０００７】  図７に示すように、余水量袋（１）及び受け入れ袋（２）の水の代わりに空気穴入り口（９）を設け空気を入れてもよい。
水の変りに空気を入れることで、自分の好みの空気量が得られ調整ができ、又空気が減れば再度、空気を入れることができる。
【図面の簡単な説明】
【０００８】
【図１】本発明の使用状態を示す斜視図
【図２】本発明の斜視図
【図３】本発明使用状態を示す斜視図
【図４】本発明の斜視図
【図５】本発明の指圧効果を示す断面図
【図６】本発明の指圧効果を示す断面図
【図７】本発明の実施例を示す斜視図
【符号の説明】
【０００９】  １余水量袋
２受け入れ袋
３天然ゴム
４母指面
５示指面
６中指面
７環指面
８小指面
９空気穴入り口
【図１】
2005329192.tif 000003
【図２】
2005329192.tif 000004
【図３】
2005329192.tif 000005
【図４】
2005329192.tif 000006
【図５】
2005329192.tif 000007
【図６】
2005329192.tif 000008
【図７】
2005329192.tif 000009
(57)【要約】【課題】本発明は、スリッパ本体のつま先部から足裏の湧泉部までのスリッパで、底にゴム板部を設け、つま先から足裏の湧泉部までの部分に傾斜底面部を設けたつま先歩き用のスリッパを提供する。【解決手段】スリッパ本体のつま先部から足裏の湧泉部までのスリッパである底にゴム板を設け、つま先部から足裏の湧泉までの部分に傾斜底面部を設けたことを特徴とする。【選択図】  図１
2005329191.tif 000002
【特許請求の範囲】
【請求項１】
スリッパ本体のつま先部から足裏の湧泉までのスリッパで、底にゴム板部を設け、つま先部から足裏の湧泉部までの部分に傾斜底面部を設けたことを特徴とした、つま先歩き用のスリッパ。
【発明の詳細な説明】
【技術分野】
【０００１】  本発明は、スリッパ本体のつま先部から足裏の湧泉部までのスリッパで、底にゴム板部を設け、つま先から足裏の湧泉部までの部分に傾斜底面部を設けたことを特徴とした、つま先歩き用のスリッパに関するものである。
【背景技術】
【０００２】  従来のスリッパは、土ふまずからつま先まで用のスリッパであった。
【発明の開示】
【発明が解決しようとする課題】
【０００３】  それには次のような問題点があった。
スリッパの長さ、高さ、つま先部までの傾斜の角度が大変難しかった。
本発明は、以上の問題点を解決するためのものである。
【課題を解決するための手段】
【０００４】  スリッパ本体のつま先部から足裏の湧泉部までのスリッパである底にゴム板を設け、つま先部から足裏の湧泉までの部分に傾斜底面部を設けたことを特徴とした、つま先歩き用のスリッパである。
【発明の効果】
【０００５】  本発明を使用することにより、体の重心が湧泉からつま先にかかるので、背筋が伸び、理想的な姿勢を保ち、かかとを上げたり、下げたりすることにより、ふくらはぎの筋肉を重点的に動かすことができ、血流促進運動によい。
【発明を実施するための最良の形態】
【０００６】  以下、本発明の実施の形態を説明する。
スリッパ本体（１）に甲部帯板（４）を設け、つま先部（５）から足裏の湧泉部（６）までのスリッパで、底にゴム板を設け、つま先部（５）から足裏の湧泉部（６）までの部分に傾斜底面部（３）を設ける。
底上層部に１枚のゴム板部（２）を設ける。
その下層部に傾斜板を複数貼り付けていく。
甲の上部に帯板を設ける。
本発明は以上のような構成のつま先歩き用のスリッパである。
スリッパの足部（７）を挿入し、甲部帯板（４）で足部を押さえ、つま先歩き用のスリッパとして使う。
【図面の簡単な説明】
【０００７】
【図１】本発明の使用状態を示す斜視図
【図２】本発明の断面図
【符号の説明】
【０００８】    １  スリッパ本体      ２  底板部
３  傾斜板            ４  甲部帯板
５  つま先部          ６  湧泉部
７  足部
【図１】
2005329191.tif 000003
【図２】
2005329191.tif 000004
(57)【要約】      （修正有）【課題】携帯しやすく着用が簡単な乳幼児用抱っこ紐を提供する。【解決手段】布を使って蛇腹状に折り、使用者の肩にあたる部分を蛇腹上の状態で縫い付け一定の幅に固定しポーチ部分にカーブをつけることにより、装着が簡単な抱っこ紐となり、右肩掛け用と左肩掛け用との双方に用いることができるようになる。使用者が肩に掛け、布部分を適宜広げてポーチ部分を形成して、このポーチ部分に乳幼児の体を入れることによって使用することができる。【選択図】図３
2005329200.tif 000002
【特許請求の範囲】
【請求項１】
１枚の布を蛇腹状に折り、使用者の肩にあたる部分を蛇腹上の状態で縫い付け一定の幅に固定し綿等を封入してあり、側方部分にも一定の範囲が袋状になって綿等が封入されている。ポーチ部分にカーブをつけることにより、乳幼児を様々な姿勢で保持できる乳幼児用抱っこ紐。
【発明の詳細な説明】
【技術分野】
【０００１】本発明は、乳幼児を様々な姿勢で保持できる乳幼児用抱っこ紐に関するものである。
【背景技術】
【０００２】従来の抱っこ紐では装着が難しかった。
【発明が解決しようとする課題】
【０００３】従来抱っこ紐では、装着が難しく乳幼児に抱っこをせがまれても、すぐに抱っこすることが出来なかった。そこで、本発明は着用が簡単な乳幼児用抱っこ紐を提供できるようにする。
【課題を解決するための手段】
【０００４】上記課題を解決するために、請求項１記載の乳幼児用襷がけ抱っこ紐は、布製の蛇腹状の袋で、使用者の肩にあたる部分を蛇腹上の状態で縫い付け一定の幅に固定し、ポーチ部分にカーブをつけることにより、乳幼児を様々な姿勢で保持できる乳幼児用抱っこ紐を製作することを可能とする
【発明の効果】
【０００５】本発明は次のような効果を奏する。請求項１に記載されている発明は、布製であるため小さく畳むことが出来る。また装着が簡単な抱っこ紐を提供することができる。
【発明を実施するための最良の形態】
【０００６】布を蛇腹上に折りたたみ袋状に縫い抱っこ紐とする。
【実施例】
【０００７】１枚の布を使って蛇腹状に折り、使用者の肩にあたる部分を蛇腹上の状態で綿等を封入し縫い付け一定の幅に固定し、側方部分に一定の範囲綿等を封入することによりクッション性を持たせ、ポーチ部分にカーブをつけることにより、乳幼児を様々な姿勢で保持できる。
【産業上の利用可能性】
【０００８】購入者の趣味による選択によって好きな生地・柄での抱っこ紐を製作することが出来る。
【図面の簡単な説明】
【０００９】
【図１】乳幼児用襷がけ抱っこ紐本体の正面図である。
【図２】乳幼児襷がけ抱っこ紐本体の側面図である。
【図２】乳児用襷がけ抱っこ紐の着用図である。
【符号の説明】
【００１０】１  は本体肩かけ部分
２  はポーチ部分
３  は側方部
【図１】
2005329200.tif 000003
【図２】
2005329200.tif 000004
【図３】
2005329200.tif 000005
(57)【要約】【課題】従来の洋服ハンガーは横幅が長く、セーターやＴシャツなどの丸首衣類の取外しが困難で、衣類を傷めたり、時間もかかり面倒であった。【解決手段】ハンガー本体の中央部に屈折機能を設け、衣類を取外す時に片側アームを折り曲げ、本体の横幅を短くし、丸首などの狭いところから簡単に取外しが行なえる。この屈折機能は指１本で働き、片手で楽に衣類の取外しが行なえる。軽量で簡単操作なので子供から年配の方、量販店などで活躍が期待される。【選択図】図３
2005329198.tif 000002
【特許請求の範囲】
【請求項１】
中央部に屈折機能を設けたことを特徴とする洋服ハンガー。
【請求項２】
前記屈折機能は、ハンガー本体がワンタッチで屈折することを特徴とする請求項１記載の洋服ハンガー。
【発明の詳細な説明】
【技術分野】
【０００１】この発明は衣類の乾燥や収納に用いるハンガーの形状に関する。
【背景技術】
【０００２】従来の衣類の収納に用いるハンガーの形状は図２に示すように、ハンガー本体のみで設けられたものである。
【発明の開示】
【発明が解決しようとする課題】
【０００３】しかしながら、以上の技術によれば、衣類からハンガーが取外しにくいうえ、両手を使っても時間がかかった。そこでこの発明は、片手でも洋服から取外し易いハンガーを提供することを課題とする。
【課題を解決するための手段】
【０００４】以上の課題を解決するために、第一発明は、中央部に屈折機能を設けたことを特徴とするハンガーである。第二発明は、中央部に設けた屈折機能は指１本で屈折ができることを特徴とするハンガーである。
【発明の効果】
【０００５】第一発明によれば、ハンガーの中央部に屈折機能を設けたので衣類からハンガーを簡単に取外せる。第二発明によれば、第一発明の効果が片手で短時間に行なえる。
【発明を実施するための最良の形態】
【０００６】この発明の一実施形態を図１に示す。
ハンガーの本体は合成樹脂製であり、この本体１と合成樹脂製アーム２を金属ピン３で取り付け、屈折できるようにする。本体１の屈折部には樹脂製の押しボタン４を金属バネ５で押さえ、押しボタン４は本体１とアーム２を固定する。押しボタンを押すと、本体１とアーム２の固定が外れ屈折する。アーム２の固定は、先端部を上げるだけで押しボタン４のフックにかかり固定ができる。【０００７】「実施の効果」
この実施形態によれば、指１本で屈折機能が働き、屈折アーム長さ分が短くなるため、衣類の首部から簡単に取外すことができる。片手で実施することができるので子供からお年寄り、体の不自由な方まで幅広く使用できる。【０００８】「他の実施形態」
図１の形態では、固定部に押しボタンのフックを設けたが、他の実施形態では磁石で固定する方法を設けたものでも良い。
【図面の簡単な説明】
【０００９】
【図１】この発明の一実施形態を示す正面断面図である。
【図２】従来技術を示す正面図である。
【図３】この発明の一実施形態（動作）を示す正面断面図である。
【符号の説明】
【００１０】１  ハンガー本体        ２  屈折アーム        ３  金属ピン
４  押しボタン          ５  金属バネ
【図１】
2005329198.tif 000003
【図２】
2005329198.tif 000004
【図３】
2005329198.tif 000005
(57)【要約】      （修正有）【課題】求心力を終始正確に発生させることによりゴルフクラブに効率的かつ正確な円運動をさせることができる装置を提供する。【解決手段】ゴルフクラブのシャフト延長方向、グリップエンド側に力を加えることができる突起または凹部を有するグリップ部分において、前記突起または凹部はスイング中にかかる力に耐えうる強度を有しており、求心力を効率的に発生させるグリップまたは従来のグリップに装着可能な突起を有する装置を提供する。これによって従来の摩擦抵抗に対抗するために必要とされていた握力に加え、前記突起または凹部に直接力を加えることができ、求心力を終始正確に発生させることができる。【選択図】    図１
2005329193.tif 000002
【特許請求の範囲】
【請求項１】
ゴルフクラブのシャフト延長方向、グリップエンド側に力を加えることができる突起または凹部を持つグリップ部分において、前記突起または凹部はスイング中にかかる力に耐えうる強度を有しており、ゴルフクラブの基本運動である円運動において、その遠心力に対抗し、円運動の構成要素である求心力を効率的に発生させることを特徴とするグリップまたは従来のグリップに装着可能な突起を有する装置。
【発明の詳細な説明】
【技術分野】
【０００１】本発明はゴルフクラブの基本運動である円運動において必要とされる求心力の方向性を向上させ、また求心力の大きさを増大させることを基本とし、ゴルファー各自のスイング特性を活かしつつ、その能力を効率よく引き出すことに関するものである。
【背景技術】
【０００２】従来のゴルフクラブにおけるグリップ部分はクラブの円運動によって発生する遠心力に対抗し易くするため、手元に近づくにつれて太くなるように設計されており、また摩擦抵抗を増大させるため柔軟な素材を使用し、繊維を編み込み、特殊な溝を掘り込むなどの加工が施してある。
【発明の開示】
【発明が解決しようとする課題】
【０００３】ゴルフクラブの基本運動である円運動の効率を向上させるには、ゴルフクラブがスイングによって生じさせる遠心力に対抗する求心力をゴルファーがクラブとの唯一の接点であるグリップを通して終始正確に発生させる必要がある。
従来のゴルフクラブは主にグリップにおいて摩擦抵抗で遠心力に対抗しており、ゴルファーがゴルフスイングという短時間内でその摩擦抵抗を正確に察知し、さらに抵抗するには限界があった。
本発明は、これらの問題を解決するために発明されたものである。
【課題を解決するための手段】
【０００４】本発明は従来の問題を解決するため、ゴルフクラブのシャフト延長方向、グリップエンド側に力を加えることができる突起または凹部を有するグリップ部分において、前記突起または凹部はスイング中にかかる力に耐えうる強度を有しており、ゴルフクラブの基本運動である円運動において、その遠心力に対抗し円運動の構成要素である求心力を効率的に発生させることを特徴とするグリップまたは従来のグリップに装着可能な突起を有する装置を提供する。
【発明の効果】
【０００５】ゴルフクラブの基本運動である円運動の効率を向上させるためには、円運動の構成要素である求心力を正確な方向性とともに増幅させることが効果的である。
従来のゴルフクラブはグリップ部分において主に摩擦抵抗で遠心力に対抗しており、ゴルファーがゴルフスイングという短時間内でその摩擦抵抗を正確に察知し、さらに抵抗するには限界がある。
これに対し、グリップ部分に突起または凹部を設けることにより、ゴルファーが突起または凹部にかける直接反力によって遠心力に対抗することで、求心力を効率的に発生させることができる。
これらによって従来の構造と比べて効率的かつ正確にゴルフクラブに円運動をさせることができる。
【発明を実施するための最良の形態】
【０００６】各全体図においてＢ：グリップ部分（以下グリップと記す）、Ｃ：シャフト部分（以下シャフトと記す）、Ｄ：クラブヘッド部分（以下ヘッドと記す）によりゴルフクラブは形成されており、図中のＡの部分（以下Ａと記す）が本発明に関する部分である。
ヘッドはクラブとボールとの唯一の接点であり、グリップはゴルファーとクラブとの唯一の接点である。シャフトは両者を結ぶ棒状の部分である。
ゴルフスイングにおけるクラブの基本運動は円運動であり、ゴルファーがクラブに円運動をさせる時、唯一の接点であるグリップに一定の方向性を持つ力を加えることでクラブの円運動が実現する。円運動の構成要素の一つが求心力であり、これは円運動の発生要素である遠心力と等しい大きさ、反対の方向を持つ。また求心力の方向は円の中心方向である。
本発明のＡ部分によってクラブの遠心力に対抗し、さらにそれ以上の力をかけることにより求心力は増し、よってクラブの遠心力も増し、結果的にゴルフスイングの効率を向上させることができる。
Ａ部分の形状として図面に記したように４通りの形状が例としてあげられる。
１：求心力方向に力をかけ易い形状の突起を有するグリップ。
２：求心力方向に力をかけ易い形状の凹部を有するグリップ。
３：求心力方向に力をかけ易く、グリップ全体に沿った凹凸を有するグリップ。
４：求心力方向に力をかけ易く、従来のグリップに装着可能な突起を有する装置。
本発明は、以上述べた実施例に限定されるものではない。
【図面の簡単な説明】
【０００７】図１：本発明において発明部分が突起形状である場合の説明図
図１−１：全体図
図１−２：グリップ拡大図
図１−３：グリップエンドから望む図
図２：本発明において発明部分が凹型形状である場合の説明図
図２−１：全体図
図２−２：グリップ拡大図
図２−３：グリップエンドから望む図
図３：本発明において発明部分がグリップ部分に全体的な凹凸部がある場合の説明図
図３−１：全体図
図３−２：グリップ拡大図
図３−３：グリップエンドから望む図
図４：本発明において発明部分が従来のグリップに装着可能な突起を有する装置の場合の説明図
図４−１：グリップ拡大図
図４−２：装置拡大図
【符号の説明】
【０００８】Ａ：本発明に関する部分
Ｂ：グリップ全体
Ｃ：シャフト部分
Ｄ：クラブヘッド部分
Ｅ：グリップエンド
【図１】
2005329193.tif 000003
【図２】
2005329193.tif 000004
【図３】
2005329193.tif 000005
【図４】
2005329193.tif 000006
(57)【要約】      （修正有）【課題】ブレーキペタルとアクセルペタルの踏み間違いを防止する。【解決手段】ブレーキペタル１  を、アクセルペタル２  の上方に移すことでブレーキペタル１  を踏むときは、かならず、かかとが、床８  から離れる。それを利用して、電流を入り切りし、アクセルペタル２  をロックすることによって間違って、アクセルペタル２  を踏んでも、床８  に、かかとが乗ってないかぎり車は発進しない。【選択図】図３
2005153847.tif 000002
【特許請求の範囲】
【請求項１】
アクセルペタル２  に、足９  をかける状態で、かかとの当たる部分の床８を、バネ４によって持ち上げていて、足９  のかかとを乗せるとその重みで床８  は押し下げられ、ロック解除リミットスイッチ３  がＯＮになり、足９  を上げるとＯＦＦになるようにしたことを特徴とする足９  の上げ下ろし動作装置。
【請求項２】
ロック解除リミットスイッチ３  のＯＮにより、電磁石５  に、電流が流れロックレバー６を引き下げ、ロック解除になることによってアクセルペダル２を、踏み込めるようにしたことを特徴とするロック解除装置
【請求項３】
アクセルペタル２  の上方にブレーキペタル１  を設け、アクセルペタル２  を踏んでいるときは、ロックは解除になり、上方のブレーキペタル１  を踏むと、床から足が離れるので、アクセルペタル２  はロックし、間違って踏んでも、床８  にかかとが乗っていないかぎり、踏み込めないようにしたことを特徴とする踏み込み防止装置
【発明の詳細な説明】
【発明の詳細な説明】
【産業上利用分野】
【０００１】この発明は、自動車のブレーキの踏み間違いを防止するものである。
【背景技術】
【０００２】従来のアクセルペタルの配置は、アクセルペタルの横にブレーキペタルがあるので間違いやすく、時々重大な事故が起きている。
【発明が解決しようとする課題】
【０００３】自動車は、アクセルペタルの横にブレーキペタルがある。
その為、運転歴の長い人短い人関係なく、踏み間違い事故を起こしている。
その事故を防ぐ事とを課題とした。
【課題を解決する手段】
【０００４】ブレーキペタル１  をアクセルペタル２  の上方に置くことによって、ブレーキペタル１を踏むとき、必ず足のかかとは、床から離れるこの動作を利用し、ロック解除リミットスイッチをＯＮ  ＯＦＦし、ブレーキペタル１  を踏むときは、アクセルペタル２  をロックするようにした。
【作用】
【０００５】ブレーキペタル１  をアクセルペタル２  の上方に置くことによって、ブレーキペタル１を踏むとき、必ず足のかかとは、床から離れるこの動作を利用し、ロック解除リミットスイッチをＯＮ  ＯＦＦし、ブレーキペタル１  を踏むときは、アクセルペタル２  をロックするようにした。
【実施例】
【０００６】初期の状態（運転席に乗っていない。）では、床８  はバネ４  によって持ち上げられていて、ロック解除リミットスイッチ３  は、ＯＦＦになっており、電流は流れず、ロックレバー６は、ロックバネ７  によって、持ち上げられていて、アクセルペタル２  はロックされている。図１
次に、人が運転席に乗り、足９  のかかとを床８  に乗せると、その重みで床８  は押し下げられロック解除リミットスイッチ３  が、ＯＮになり、電流が流れ、電磁石５  が動作し、ロックレバー６  は電磁石５  に吸い寄せられて、アクセルペタルのロック２  は解除され、アクセルペタル２  を踏むことができ、自動車は発進する。図２
次に、ブレーキペタル１  を踏むときは、ブレーキペタル１  は、アクセルペタル２  の上方にあるので、当然、足９  は床から離れる。
すると、アクセルペタル２  は、初期の状態に戻って、ロックするので、ブレーキペタル１を踏み込んだときに、間違って踏んでも、床８  にかかとが、乗ってないかぎり、アクセルペタル２  を踏み込めないようにして、事故を防ぐようにした。図３
又、ブレーキペタルを踏む場合、アクセルペタル２  は、ロックしてるので、その上に足９  のかかとを乗せて、かかとを支点に踏むことが出来、そのことによって足９の動作の負担を軽減することが出来る。
【発明の効果】
【０００７】自動車は、アクセルペタルの横にブレーキペタルがある。
その為、運転歴の長い人短い人に関係なく踏み間違い事故を、起こしている。
この発明したブレーキペタル踏間違防止装置は、ブレーキペタル１  を、アクセルペタル２の上方に移動し、アクセルペタル２  のロックと解除の組み合わせによって、充分に事故防止に貢献できる。
【図面の簡単な説明】
【図１】    運転席に人が乗っていない状態で、床８  は定位置の高さにあり、ロック解除リミットスイッチは、作動せずロックしている状態の側面図
【図２】    アクセルペタル２  を、踏んでる状態で、かかとの当たる部分の床８  が、足９  の重みで沈んで、ロック解除リミットスイッチ３  を押して、ロック解除になっている側面図
【図３】    ブレーキペタル１  を踏んでる状態で、床８  は定位置の高さに戻って、アクセルペタル２  はロックし、その上に足９  のかかとが、乗って、ブレーキペタル１を踏んでいる状態の側面図
【符号の説明】
１    ブレーキペタル                ２    アクセルペタル
３    ロック解除リミットスイッチ    ４    バネ
５    電磁石                        ６    ロックレバー
７    ロックバネ                    ８    床
９    足
【図１】
2005153847.tif 000003
【図２】
2005153847.tif 000004
【図３】
2005153847.tif 000005
(57)【要約】【課題】電気ドルリに水準器を取り付け、まっすぐに穴が空く水準器付電気ドリルを提供する。【解決の手段】水準器の縦気泡（１）、４５度気泡（２）、横気泡（３）を設けたことを特徴とする。【選択図】図１
2005153133.tif 000002
【特許請求の範囲】
【請求項１】
電気ドリルの後部に円筒状の水準器を設け、使用者がドリルスタンド等がなくても水平方向には照準点と横水準器により正確に、鉛直方向、４５度方向にも水準器により正確、確実に穴が空けられる水準器付電気ドリル。
【発明の詳細な説明】
【技術分野】
【０００１】    本発明は、水準器及び照準点を付けることで垂直又は横方向にまっすぐ空けられるように工夫した水準器付電気ドリル。
【背景技術】
【０００２】    従来は厚い板に穴をまっすぐ空けるのに電気ドリルでは難しく、簡単にまっすぐ空けるには、ドリルスタンド等の別の工具が必要であった。
類似した作品、登録実用新案第３０２２１４６号、実用新案出願平５−６６６６４、登録実用新案第３０１５９７３号
【発明の開示】
【発明が解決使用とする課題】
【０００３】    そのために、次のような問題点があった。
（イ）電気ドリルがまっすぐか、曲がっているかの基準がなかった。
（ロ）２枚の厚い板などを重ねてボルト締めしようとしたとき、空けた穴がまっすぐ          でないため何度も穴を空け直しをしなければならなかった。
本発明は、これらの問題点を解決するためになされたものである。
【課題を解決するための手段】
【０００４】    縦気泡、４５度気泡、横気泡を電気ドリルの後部に設けることにより、電気ドリルの角度を確認し、真上のときは９０度を示す、電気ドリルは穴を空ける材料に対し鉛直である、横に穴を空けるときは、電気ドリル横の水準器を見ると上下方向がまっすぐであり、照準点２つの点と材料を目視して３点を一線上にすると、左右のぶれが無く穴が開く、４５度も同様であり、本発明は、以上の構成による水準器付電気ドリルである。
【発明の効果】
【０００５】    電気ドリルで正確かつ簡単に厚い材料に他の工具を使用しなくても、１人でまっすぐ穴を空ける事ができる。
【発明を実施するための最良の形態】
【０００６】    以下、本発明の実施の形態について説明する。
（イ）電気ドリルの後部に縦気泡（１）４５度気泡（２）横気泡（３）の水準器を取          り付ける。
（ロ）電気ドリルの背部分に照準点（４）２ヶ所を設ける。
本発明は、以上のような構成で、これを使用するときは水準器の気泡の位置が真上に来るように操作すると、誰でもどんな材料でもまっすぐに空ける事ができる。
【図面の簡単な説明】
【０００７】
【図１】本発明の斜視図
【図２】本発明の縦穴空け（図面横、横穴空け）使用状態を示す側面図
【符号の説明】
【０００８】    １  縦気泡
２  ４５度気泡
３  横気泡
４  照準点
５  目標
６  材料
【図１】
2005153133.tif 000003
【図２】
2005153133.tif 000004
(57)【要約】【課題】把持しやすく、安定して持ち運べるマルチパックを提供する。【解決手段】天板１に一対の側板２及び底板３を順次連設して、集積した飲料容器等の包装物を包み込む板紙製マルチパックにおいて、天板１から両側板２の上部への切込により取手８を設け、この取手８の中央部分を把持部９とし、側板２寄りの部分を二股状に脚部１０が分かれた形状とする。把持部９を握って持ち上げたとき、取手８が比較的大きく撓んで、把持部９と包装物である缶Ｃの頂面との間に十分な隙間が生じるので、把手部９が握りやすくなり、持運時には、二股状の脚部１０により取手８の根元部分の捩れが防止されるので、安定性が向上する。【選択図】図３
2005153913.tif 000002
【特許請求の範囲】
【請求項１】
天板に一対の側板及び底板を順次連設して、集積した飲料容器等の包装物を包み込む板紙製マルチパックにおいて、天板から両側板上部への切込により取手を設け、この取手の中央部分を把持部とし、側板寄りの部分を二股状に脚部が分かれた形状としたことを特徴とするマルチパック。
【発明の詳細な説明】
【技術分野】
【０００１】
この発明は、集積した飲料容器等を包み込む板紙製マルチパックに関するものである。
【背景技術】
【０００２】
一般に、この種のマルチパックとして、図４に示すように、耐水性の板紙から成り、天板５０の両側に側板５１及び底板５２を順次連設して複数本の缶Ｃを包み込み、底板５２同士を差込片５３の差込穴５４への差し込みにより係合させ、側板５１の端縁から延出した折込片５５を折り込み、その上下端縁から天板５０及び底板５２に繋がる抱持片５６を缶Ｃの外周に沿わせて缶Ｃを抜け止めし、天板５０に２個の押込片５７を設け、その押し込みに伴い形成される指入穴に指を入れて持ち運べるようにしたものが使用されている。
【発明の開示】
【発明が解決しようとする課題】
【０００３】
しかしながら、上記のようなマルチパックでは、押込片５７を押し込んで持ち上げようとしても、天板５０があまり撓まないため、天板５０と缶Ｃの頂面との間に指を十分に入れることができず、把持しにくいという問題がある。
【０００４】
また、天板５０に両側縁に亘る２本の切目線を入れて取手を形成しても、持ち歩く際、取手の両側の根元部分が捩れやすく、安定した状態で持ち運びにくいという問題もある。
【０００５】
そこで、この発明は、把持しやすく、安定して持ち運べるマルチパックを提供することを課題とする。
【課題を解決するための手段】
【０００６】
上記課題を解決するため、この発明は、天板に一対の側板及び底板を順次連設して、集積した飲料容器等の包装物を包み込む板紙製マルチパックにおいて、天板から両側板上部への切込により取手を設け、この取手の中央部分を把持部とし、側板寄りの部分を二股状に脚部が分かれた形状としたのである。
【発明の効果】
【０００７】
このように、天板から両側板上部にかけて、中央部分が把持部で両側が二股状の脚部となった取手を設けると、把持部を握って持ち上げたとき、取手が比較的大きく撓んで、把持部と包装物の頂面との間に十分な隙間が生じるので、把手部が握りやすくなり、持運時には、二股状の脚部により取手の根元部分の捩れが防止されるので、安定性が向上する。
【発明を実施するための最良の形態】
【０００８】
以下、この発明の実施の形態を添付図面に基づいて説明する。
【０００９】
このマルチパックのブランクでは、図１に示すように、天板１の両側に側板２及び底板３が順次連設され、一方の底板３に差込片４が、他方の底板３に差込穴５がそれぞれ設けられている。側板２の端縁には折込片６が連設され、その両端縁と天板１及び底板３とは抱持片７で繋がれている。
【００１０】
天板１から両側板２の上部となる部分にかけては、繋部を有する切込により取手８が設けられている。この取手８の中央部分は、比較的幅の狭い把持部９とされ、側板２寄りの部分は、外縁をなす２本の切目が離反して側板２へ向かい、その間に内縁をなす門形の切目が入れられて、二股状に脚部１０が分かれた形状とされている。
【００１１】
また、取手８の把持部９の両側縁には、繋部を有する弧状の切込により押込片１１が設けられ、その頂部付近から天板１の端縁にかけて、２本のジッパ形切目により切裂帯１２が形成されている。
【００１２】
いま、このブランクで飲料の缶を包装する際には、図２に示すように、集積した缶Ｃの上面を天板１で覆い、一対の側板２を下方へ折り曲げ、底板３を内側へ折り曲げて缶Ｃを包み込むと共に、底板３同士を差込片４の差込穴５への差し込みにより係合させ、側板２の端縁から折込片６を折り込み、抱持片７を缶Ｃの外周に沿わせて缶Ｃを抜け止めする。
【００１３】
一方、このように缶Ｃを包装したマルチパックを持ち運ぶ際には、図３に示すように、繋部を破断させて押込片１１を押し込み、これに伴い形成される指入穴に指を入れ、把持部９を握って持ち上げる。
【００１４】
このとき、缶Ｃの自重で取手８の繋部が切れ、取手８が比較的大きく撓んで、把持部９と缶Ｃの頂面との間に十分な隙間が生じるので、その隙間に指を深く入れ、把手部９をしっかりと握ることができる。また、持ち運びに際し、二股状の脚部１０により取手８の根元部分の捩れが防止されるので、安定性が向上する。
【００１５】
なお、このマルチパックから缶Ｃを取り出すには、押込片１１を押し込んだ指入穴から切裂帯１２を引き裂いて、天板１を切断し、両側板２を押し広げるようにすればよい。
【図面の簡単な説明】
【００１６】
【図１】この発明の実施形態に係るマルチパックのブランクを示す図
【図２】同上の包装状態を示す斜視図
【図３】同上の持ち上げ状態を示す斜視図
【図４】従来のマルチパックを示す斜視図
【符号の説明】
【００１７】
１  天板
２  側板
３  底板
４  差込片
５  差込穴
６  折込片
７  抱持片
８  取手
９  把持部
１０  脚部
１１  押込片
１２  切裂帯
【図１】
2005153913.tif 000003
【図２】
2005153913.tif 000004
【図３】
2005153913.tif 000005
【図４】
2005153913.tif 000006
(57)【要約】【課題】小分け販売が可能で、配送時の取扱性にも優れたマルチパックを提供する。【解決手段】天板１に一対の側板２及び底板３を順次連設し、集積した飲料容器等の包装物を包み込む板紙製マルチパックにおいて、天板１に幅方向の切目を入れ、この切目に臨む折曲板６を設けると共に、天板１の四隅から側板２の上部へ斜めに折目を入れて折曲板６の両側に隅折片７を設け、隣接する隅折片７がなす谷から両側板２を経て底板３の端縁へ至るミシン線８を入れ、隅折片７を折り込みつつ、折曲板６を下方へ折り曲げておき、ミシン線８の繋部の切断に伴い、複数の単位パックＳに分割できるようにする。【選択図】図３
2005153914.tif 000002
【特許請求の範囲】
【請求項１】
天板に一対の側板及び底板を順次連設し、集積した飲料容器等の包装物を包み込むマルチパックにおいて、天板に幅方向の切目を入れ、この切目に臨む折曲板を設けると共に、天板の四隅から側板の上部へ斜めに折目を入れて折曲板の両側に隅折片を設け、隣接する隅折片がなす谷から両側板を経て底板の端縁へ至るミシン線を入れ、隅折片を折り込みつつ、折曲板を下方へ折り曲げておき、ミシン線の繋部の切断に伴い、複数の単位パックに分割できるようにしたことを特徴とする連結マルチパック。
【発明の詳細な説明】
【技術分野】
【０００１】
この発明は、集積した飲料容器等を包み込む板紙製マルチパックに関するものである。
【背景技術】
【０００２】
一般に、ペットボトルや缶等の飲料容器をコンビニエンスストア等へ配送する際には、１２本、２４本等の包装単位ごとに集積し、段ボール箱に収納しており、各店舗での販売に際しては、段ボール箱のまま大量陳列販売したり、段ボール箱を開梱して、容器を１本単位でばら売りしたりしている。
【０００３】
また、図４に示すように、天板５０の両側に側板５１及び底板５２を順次連設して少数本の缶Ｃを包み込み、差込片５３を差込穴５４へ差し込んで底板５２同士を係合させ、側板５１の端縁から延出した折込片５５及び抱持片５６で缶Ｃを抜け止めし、天板５０の押込片５７を押し込んで持ち運べるようにしたマルチパック単位で販売することも多い。
【発明の開示】
【発明が解決しようとする課題】
【０００４】
しかしながら、上記のように、飲料容器を段ボール箱で配送すると、少本数まとめて小分け販売することができず、また、従来のマルチパックを使用した場合には、店舗への配送時に取り扱いが煩わしくなるという問題がある。
【０００５】
そこで、この発明は、小分け販売が可能で、配送時の取扱性にも優れた板紙製のマルチパックを提供することを課題とする。
【課題を解決するための手段】
【０００６】
上記課題を解決するため、この発明は、天板に一対の側板及び底板を順次連設し、集積した飲料容器等の包装物を包み込むマルチパックにおいて、天板に幅方向の切目を入れ、この切目に臨む折曲板を設けると共に、天板の四隅から側板の上部へ斜めに折目を入れて折曲板の両側に隅折片を設け、隣接する隅折片がなす谷から両側板を経て底板の端縁へ至るミシン線を入れ、隅折片を折り込みつつ、折曲板を下方へ折り曲げておき、ミシン線の繋部の切断に伴い、複数の単位パックに分割できるようにしたのである。
【発明の効果】
【０００７】
このマルチパックでは、天面側において、隣り合う折曲板の間に隙間ができるので、その隙間に手を入れて、隣接する隅折片の谷からミシン線の繋部を切断することにより、複数の単位パックに簡単に分割でき、小分け販売することができる。また、分割前の状態では、多数本の包装物がまとまっているので、配送時に容易に取り扱うことができる。
【発明を実施するための最良の形態】
【０００８】
以下、この発明の実施の形態を図１乃至図３に基づいて説明する。
【０００９】
図１に示すブランクから成るマルチパックは、小型ペットボトルの集合包装に使用されるものであり、耐水性板紙を材料として形成される。このブランクは、三つの単位パックＳの部分を連結した構成とされ、各単位パックＳの部分において、天板１の両側には側板２及び底板３が順次連設され、一方の底板３に差込片４が、他方の底板３に差込穴５がそれぞれ設けられている。
【００１０】
上記単位パックＳの境界において、天板１には、切目を挟んで向き合うように折曲板６が設けられ、その両側には天板１の四隅から側板２の上部へ斜めに折目を入れて隅折片７が設けられている。そして、隣接する隅折片７がなす谷から両側板２を経て底板３の端縁へかけて、繋部を有するミシン線８が入れられている。また、両端の単位パックＳの外端部にも折曲板６及び隅折片７が設けられている。
【００１１】
また、側板２には、ペットボトルの胴部に沿って屈曲させる罫線ａ，ｂと、ペットボトルの頭部及び底部を嵌合させる貫穴ｃとが設けられ、一方の側板２には、両側縁間に亘る２本のジッパ形切目に挟まれた開封用の切裂帯９が形成されている。また、天板１には、押し込みに伴い指入穴をなす押込片１０が弧状の切込により設けられている。
【００１２】
いま、このブランクで飲料の小型ペットボトルを包装する際には、図２に示すように、６本ずつ２列に集積したペットボトルの上面に天板１を被せ、両側板２を罫線ａ，ｂ沿いに屈曲させつつ下方へ折り曲げ、底板３を内側へ折り曲げて、ペットボトルを貫穴ｃに嵌合するように包み込み、差込片４を差込穴５へ差し込んで底板３同士を係合させる。
【００１３】
このように包装すると、ペットボトルが１２本まとまっているので、配送時に容易に取り扱うことができ、本数のカウント等、流通管理が容易となる。また、このマルチパックを２個横に並べて、トレーやシュリンクフィルムで包装すると、２４本の集合包装として流通させることができ、集合包装しない端数分もコンパクトにまとめることができる。
【００１４】
一方、店舗でペットボトルの飲料を販売する際には、マルチパックの天面側において、隣り合う折曲板６の間に隙間ができるので、その隙間に手を入れ、隣接する隅折片７の谷からミシン線８の繋部を切断することにより、図３に示すように、複数の単位パックＳに簡単に分割することができる。
【００１５】
このようにマルチパックを小分けにして、４本又は８本のペットボトルを単位として販売すると、購入者は、１個だけの単位パックＳ又は２個繋がった単位パックＳを手軽に持ち運ぶことができる。また、店舗側では、商品の在庫状況に応じて、マルチパックを適宜小分けにしておき、販売単位を調整することもできる。
【図面の簡単な説明】
【００１６】
【図１】この発明の実施形態に係る連結マルチパックのブランクを示す図
【図２】同上の分割前の包装状態を示す斜視図
【図３】同上の分割した状態を示す斜視図
【図４】従来のマルチパックを示す斜視図
【符号の説明】
【００１７】
Ｓ  単位パック
１  天板
２  側板
３  底板
４  差込片
５  差込穴
６  折曲板
７  隅折片
８  ミシン線
９  切裂帯
１０  押込片
【図１】
2005153914.tif 000003
【図２】
2005153914.tif 000004
【図３】
2005153914.tif 000005
【図４】
2005153914.tif 000006
(57)【要約】【課題】構造が簡素化された多剤混合容器を提案する。【解決手段】仕切り壁（４）を介して区画形成した少なくとも２つの空間（６、７）を有する容器本体（１）と、各空間（６、７）に充填した種類の異なる内容物を混合して注出する注出口（２）を有する多剤混合容器において、前記仕切り壁（４）を、容器本体（１）の内側壁に固定保持される基部（４ａ）と、この基部（４ａ）に切り離し可能に取り付けられる壁板（４ｂ）と、この壁板（４ｂ）に一体成形され容器本体（１）の折り曲げに際して該壁板（４ｂ）を基部（４ａ）から切り離して空間相互を連通させるロッド（４ｃ）にて構成する。【選択図】図１
2005153945.tif 000002
【特許請求の範囲】
【請求項１】
仕切り壁を介して区画形成した少なくとも２つの空間を有する容器本体と、各空間に充填した種類の異なる内容物を混合して注出する注出口を有する多剤混合容器であって、
前記仕切り壁は、容器本体の内側壁に固定保持される基部と、この基部に切り離し可能に取り付けられる壁板と、この壁板に一体成形され容器本体の折り曲げに際して傾動させ該壁板を基部から切り離して空間相互を連通させるロッドからなることを特徴とする多剤混合容器。
【請求項２】
もぎ取りによって注出口を開放するもぎ取り栓を有する請求項１記載の多剤混合容器。
【請求項３】
容器本体の空間は、大径部とこの大径部につながる小径部からなり、その境界に仕切り壁の固定保持用の台座を形成するとともに容器本体の折り曲げの基点を形成する段差部を有する請求項１又は２記載の多剤混合容器。
【発明の詳細な説明】
【技術分野】
【０００１】
本発明は、容器の中にそれぞれ個別に収められた２種類以上の内容物を、注出時において混合した状態で注出することができる混合容器に関するものであり、該容器の構造の簡素化を図ろうとするものである。
【背景技術】
【０００２】
混合容器は毛染め剤等を充填する容器として従来から数多く市場に流通している（例えば特許文献１参照）が、その構造は複雑であり容器一つ当たりのコストも高いものとなっているのが現状であった。
【０００３】
【特許文献１】特許第２５９１２７４号公報
【発明の開示】
【発明が解決しようとする課題】
【０００４】
本発明の課題は、容器を構成するパーツ数が少なく、組立工数の軽減されたコストメリットの高い新規な混合容器を提案するところにある。
【課題を解決するための手段】
【０００５】
本発明は、仕切り壁を介して区画形成した少なくとも２つの空間を有する容器本体と、各空間に充填した種類の異なる内容物を混合して注出する注出口を有する多剤混合容器であって、
前記仕切り壁は、容器本体の内側壁に固定保持される基部と、この基部に切り離し可能に取り付けられる壁板と、この壁板に一体成形され容器本体の折り曲げに際して傾動させ該壁板を基部から切り離して空間相互を連通させるロッドからなることを特徴とする多剤混合容器である。
【０００６】
上記の構成になる混合容器にはもぎ取りによって注出口を開放するもぎ取り栓を設けることができる。
【０００７】
また、容器本体の空間は、大径部とこの大径部につながる小径部からなり、その境界に仕切り壁の固定保持用の台座を形成するとともに容器本体の折り曲げの基点を形成する段差部を有するものが好ましい。
【発明の効果】
【０００８】
容器本体の折り曲げによりロッドを傾動させ壁板を基部から取り外すのみで内容物を収納した各空間を相互に連通させることができるので構造の簡素化が可能になる。
【発明を実施するための最良の形態】
【０００９】
以下、図面を用いて本発明をより具体的に説明する。
図１は本発明に従う多剤混合容器の実施の形態をチューブタイプの２剤混合容器として例示したものである。
【００１０】
図における１は軟質材からなる容器本体である。この容器本体１は第１剤を充填する空間を形成する大径部１ａと、この大径部１ａにつながり第２剤を充填する空間を形成する小径部１ｂからなり、その境界に台座を形成するとともに容器本体１の折り曲げの基点を形成する段差部１ｃが設けられている。
【００１１】
また、２は混合された内容物を注出する注出口、３は注出口２を封印する栓であって、この栓３をもぎ取ることによって注出口２を開放することができるようになっている。
【００１２】
４は大径部１ａの空間と小径部１ｂの空間を遮断するための仕切り壁である。この仕切り壁４はアンダーカット、螺合、溶着、接着等の結合手段によって容器本体１の内側壁の台座に固定保持される基部４ａと、この基部４ａに切り離し可能に取り付けられる壁板４ｂと、この壁板４ｂに一体成形され容器本体１の折り曲げに際して傾動させ該壁板４ｂを基部４ａから切り離すロッド４ｃからなる。
【００１３】
上記の構成になる容器は商品として流通している段階では大径部１ａに充填された内容物と小径部１ｂに充填された内容物は仕切り壁４によって分断された状態にあるが、図２に示すように、容器本体１を段差部１ｃを基点にして折り曲げロッド４ｃを傾動させることで壁板４ｂは基部４ａから切り離され大径部１ａの空間と小径部１ｂの空間はその相互間において連通することになり内容物は混合される。
【００１４】
かかる容器に内容物を充填するには、まず、図３、図４に示すように小径部１ｂに第２剤を充填したのち仕切り壁４を組込み、さらに大径部１ａに第１剤を充填してその後端部を図１に示す如く熱シールによって密封すればよい。
【００１５】
実施の形態で示した、もぎ取り栓３付きのチューブタイプの容器は、最低２パーツで混合容器を構成でき、構造の簡素化が可能でありコスト的なメリットは非常に大きい。
【００１６】
本発明は図示はしないがもぎ取り栓３をキャップに、また、大径部１ａの熱シールよる密封をキャップによる密封に替えてもよく、この点については限定されない。
【００１７】
また、本発明では、第１剤と第２剤を混合して注出する２剤混合容器として説明したが、内容物を充填する空間及び仕切り壁は充填する内容物に応じて適宜増加させることができる。
【００１８】
仕切り壁４の基部４ａを容器本体１の台座にアンダーカットや螺合によって固定保持する場合にはその部位におけるシール性を高くすることが重要であって、必要に応じてシール部材を配置することが肝要となる。
【産業上の利用可能性】
【００１９】
構造の簡素化された多剤混合容器を提供できる。
【図面の簡単な説明】
【００２０】
【図１】本発明に従う多剤混合容器の実施の形態を示した図である。
【図２】内容物の混合要領の説明図である。
【図３】内容物の充填要領の説明図である。
【図４】内容物の充填要領の説明図である。
【符号の説明】
【００２１】
１  容器本体
１ａ  大径部
１ｂ  小径部
１ｃ  段差部
２  注出口
３  もぎ取り栓
４  仕切り壁
４ａ  基部
４ｂ  壁板
４ｃ  ロッド
【図１】
2005153945.tif 000003
【図２】
2005153945.tif 000004
【図３】
2005153945.tif 000005
【図４】
2005153945.tif 000006
(57)【要約】      （修正有）【課題】本発明は、食品を密封収容する包装袋の開口縁となるミシン目において、袋本体の開口部にチャック部を設け、チャック部に近接した上部でミシン目を弓形に設け、開口時にミシン目を引裂によって袋本体の開口縁となり、ミシン目が湾出し対称となる開口縁を形成し、密着状態の開口部を開け易くし、開口が容易にできる食品用包装袋を得る。【解決手段】食品を密封収容する包装袋において、熱接着性合成樹脂フィルム１を用いて袋本体２を形成し、その袋本体２の開口部３にチャック部４を設け、チャック部４に近接した上部でミシン目５を弓形に設け、開口時にミシン目５を引裂によって袋本体２の開口縁７となり、ミシン目５が湾出し対称となる開口縁７を形成した手段を講ずる。【選択図】図１
2005153997.tif 000002
【特許請求の範囲】
【請求項１】
食品を密封収容する包装袋において、熱接着性合成樹脂フィルムを用いて袋本体を形成し、その袋本体の開口部にチャック部を設け、チャック部に近接した上部でミシン目を弓形に設け、開口時にミシン目を引裂によって袋本体の開口縁となり、ミシン目が湾出し対称となる開口縁を形成したことを特徴とする開口が容易にできる食品用包装袋。
【請求項２】
前記袋本体の開口縁となる弓形のミシン目が、開口時にミシン目を引裂によって形成される弓形の頂点部位が任意で対称となる請求項１記載の開口が容易にできる食品用包装袋。
【発明の詳細な説明】
【技術分野】
【０００１】    本発明は、開口が容易にできる食品用包装袋に関する。
【背景技術】
【０００２】    平成１５年１１月５日付で同出願人による、開口が容易にできる食品用包装袋の特許出願があり、その出願のおいては、ミシン目の一辺が迂曲した形状、その迂曲が複数の形状、三角形状、四角形状などのミシン目を入れた開口が容易にできる食品用包装袋となっている。
【発明の開示】
【発明が解決しようとする課題】
【０００３】    従来の食品を密封収容する包装袋は、開口縁に直線のミシン目とチャック部を設けていた為、袋を閉じると密着状態となり開口部が開け難い問題があった。【０００４】    本発明は、食品を密封収容する包装袋の開口縁となるミシン目において、袋本体の開口部にチャック部を設け、チャック部に近接した上部でミシン目を弓形に設け、開口時にミシン目を引裂によって袋本体の開口縁となり、ミシン目が湾出し対称となる開口縁を形成し、密着状態の開口部を開け易くし、開口が容易にできる食品用包装袋の提供を目的とするものである。
【課題を解決するための手段】
【０００５】    前記の課題を達成するため、食品を密封収容する包装袋において、熱接着性合成樹脂フィルムを用いて袋本体を形成し、その袋本体の開口部にチャック部を設け、チャック部に近接した上部でミシン目を弓形に設け、開口時にミシン目を引裂によって袋本体の開口縁となり、ミシン目が湾出し対称となる開口縁を形成した手段を講ずる。【０００６】    また、袋本体の開口縁となる弓形のミシン目が、開口時にミシン目を引裂によって形成される弓形の頂点部位が任意で対称となるようにしている。
【発明の効果】
【０００７】    本発明の、開口が容易にできる食品用包装袋により、密着状態の開口部を開け易くしたとともに、スムーズな開閉により袋内に収容された食品の鮮度の保持にも有用なものである。
【発明を実施するための最良の形態】
【実施例】
【０００８】    発明の実施するための最良の形態を実施例にもとづき図面を参照して説明する。図１で示す実施例では、食品を密封収容する包装袋において、熱接着性合成樹脂フィルム１を用いて袋本体２を形成し、その袋本体２の開口部３にチャック部４を設け、チャック部４に近接した上部でミシン目５を弓形６に設け、開口時にミシン目５を引裂によって袋本体２の開口縁７となり、ミシン目２が湾出８し対称となる開口縁７を形成している。【０００９】    また、図２で示す実施例では、袋本体２の開口縁７となる弓形６のミシン目５が、開口時にミシン目５を引裂によって形成される弓形６の頂点部位９が任意で対称となるようにしている。【００１０】    上記のような構成により、袋本体２のミシン目５が引裂によって開口縁７となり、その開口縁７で対称となる頂点部位９を、開口時にそれぞれ指で摘み左右に引くだけで容易に開口ができるものである。
【図面の簡単な説明】
【００１１】
【００１４】
【図１】  本発明の実施例を示す正面図である。
【符号の説明】
【００１５】          １  熱接着性合成樹脂フィルム
２  袋本体
３  開口部
４  チャック部
５  ミシン目
６  弓形
７  開口縁
８  湾出
９  頂点部位
【図１】
2005153997.tif 000003